(57)【特許請求の範囲】
【請求項１】
記録，再生等の動作モードの切り替えを行うためのモード切替手段と、撮影した画像が表示される表示部と、ユーザーの指示を機器に入力するための操作キーとを有するデジタルカメラにおいて、
前記操作キーを操作したときに、該操作された操作キーの機能が前記表示部に表示され、かつ、前記動作モードが異なる場合には、同一の操作キーの機能が前記動作モードに対応して異なり、前記操作された操作キーの機能が表示されてから所定時間経過後に、前記操作された操作キーに付随したメニューが前記表示部に表示される
デジタルカメラ。
【請求項２】
請求項１に記載のデジタルカメラにおいて、
前記操作キーの機能の表示は、アイコンおよび文字あるいは文字のみで表示される
デジタルカメラ。
【請求項３】
請求項１又は２に記載のデジタルカメラにおいて、
特定の前記動作モードにおいて、前記操作キーの機能が存在しない場合は、前記表示部に機能がないことを表示する
デジタルカメラ。
【請求項４】
記録，再生等の動作モードの切り替えを行うためのモード切替手段と、撮影した画像が表示される表示部と、ユーザーの指示を機器に入力するための操作キーと、制御部とを有するデジタルカメラにおける表示方法において、
前記制御部が、前記操作キーが操作されたときに、該操作された操作キーの機能を前記表示部に表示させ、かつ、前記動作モードが異なる場合には、同一の操作キーの機能を前記動作モードに対応して異ならせる第１のステップと、
前記制御部が、前記第１のステップで前記操作された操作キーの機能を表示させてから所定時間経過後に、前記操作された操作キーに付随したメニューを前記表示部に表示させる第２のステップとを有する
表示方法。
【発明の詳細な説明】
【技術分野】
【０００１】
本発明はデジタルカメラ、及び、デジタルカメラにおける表示方法に関し、ひとつの操作キーに、動作モードに応じて異なる機能を持たせ、該機能が表示部に表示されるようにしたものである。
【背景技術】
【０００２】
画像や音声を記録したり再生したりする機能を有する記録及び／又は再生装置のひとつとして、デジタルカメラがある。最近のデジタルカメラには、静止画の記録・再生だけでなく、動画および音声の記録・再生を行う機能をも有するものもある。デジタルカメラは、機器の小型化に伴い、操作キーの機能表示を行う領域が少なくなってきている。そのため、操作キーの機能表示に、大きな占有スペースを使用する文字に代えて、占有スペースの小さなアイコンを用いることが行われている。
【０００３】
従来のデジタルカメラにおいて、操作キーの機能表示に関するものとしては、特許文献１に記載のものがある。このデジタルカメラの背面には、十字キーが設けられ、該十字キーの内側にドットマトリクス液晶の部分が設けられている。そして、十字キーの上下左右に位置する操作キーの内側には、操作キーの機能を示すアイコンが表示されている。デジタルカメラの主モードである記録モードや再生モードが切り換わると、主モードが十字キーの中央表示部に表示され、かつ上下左右の操作キーの機能も切り換わって、操作キーの機能表示を示すアイコンも切り換わる。
【特許文献１】特開２００１−２０９４８２号公報
【発明の開示】
【発明が解決しようとする課題】
【０００４】
ところが、十字キーの中央表示部に主モードを表示し、該中央表示部の回りに上下左右の操作キーの機能表示を示すアイコンを表示するため、ドットマトリクス液晶の部分を設けなければならず、更に、デジタルカメラが小型化すると操作キーの機能表示を行うためのスペースが足りなくなるという問題が依然として残る。
【０００５】
そこで本発明は、上記の課題を解決したデジタルカメラ及び表示方法を提供することを目的とする。
【課題を解決するための手段】
【０００６】
請求項１に係る発明は、記録，再生等の動作モードの切り替えを行うためのモード切替手段と、撮影した画像が表示される表示部と、ユーザーの指示を機器に入力するための操作キーとを有するデジタルカメラにおいて、前記操作キーを操作したときに、該操作された操作キーの機能が前記表示部に表示され、かつ、前記動作モードが異なる場合には、同一の操作キーの機能が前記動作モードに対応して異なり、前記操作された操作キーの機能が表示されてから所定時間経過後に、前記操作された操作キーに付随したメニューが前記表示部に表示されることを特徴とする。
請求項４に係る発明は、記録，再生等の動作モードの切り替えを行うためのモード切替手段と、撮影した画像が表示される表示部と、ユーザーの指示を機器に入力するための操作キーと、制御部とを有するデジタルカメラにおける表示方法において、前記制御部が、前記操作キーが操作されたときに、該操作された操作キーの機能を前記表示部に表示させ、かつ、前記動作モードが異なる場合には、同一の操作キーの機能を前記動作モードに対応して異ならせる第１のステップと、前記制御部が、前記第１のステップで前記操作された操作キーの機能を表示させてから所定時間経過後に、前記操作された操作キーに付随したメニューを前記表示部に表示させる第２のステップとを有することを特徴とする。
【０００７】
このようなデジタルカメラ，表示方法では、動作モードに応じて操作キーの機能が異なり、ある動作モードの時に、特定の操作キーを操作すると、その機能が表示部に表示され、該特定の操作キーの機能を知ることができる。また、該特定の操作キーの機能が表示されてから所定時間経過後に、該特定の操作キーに付随したメニューが表示部に表示される。
【０００８】
請求項２に係る発明は、請求項１に記載のデジタルカメラにおいて、前記操作キーの機能の表示は、アイコンおよび文字あるいは文字のみで表示されることを特徴とする。
【０００９】
このようなデジタルカメラでは、操作キーの機能は、アイコンと文字あるいは文字のみで行われるので、ユーザーは瞬時に操作キーの機能を認識することができる。
【００１０】
請求項３に係る発明は、請求項１又は２に記載のデジタルカメラにおいて、特定の前記動作モードにおいて、前記操作キーの機能が存在しない場合は、前記表示部に機能がないことを表示することを特徴とする。
【００１１】
このようなデジタルカメラでは、動作モードによっては操作キーが無効な場合があり、このような場合においては、「無効である」等の操作キーに機能がないことの表示が行われる。
【発明の効果】
【００１２】
本発明に係るデジタルカメラ，表示方法によれば、特定の操作キーを操作すると、該操作キーの機能が表示部に表示され、該操作キーの機能を知ることができる。そして、動作モードに応じて同一の操作キーの機能が異なり、異なる機能が表示部に表示される。また、該操作キーの機能が表示されてから所定時間経過後に、該操作キーに付随したメニューが表示部に表示される。
【００１３】
このため、撮影画像を表示するために必須の表示部に操作キーの機能を表示することになり、デジタルカメラが小型化して操作キーの機能表示を行うだけの表面積がなくなった場合でも、操作キーの機能表示のために占有するスペースを意識する必要がない。
【００１４】
一方、広い表示部に操作キーの機能をアイコンと文字あるいは文字のみで表示できるので、操作に不慣れなユーザーでも機能の理解が容易となり、安心してデジタルカメラを使うことができる。
【発明を実施するための最良の形態】
【００１５】
以下、本発明によるデジタルカメラの実施の形態を説明する。
【００１６】
まず、デジタルカメラの背面図を図１に示す。１はデジタルカメラであり、静止画の記録・再生と、音声付の動画の記録・再生とが可能である。２は液晶パネル（ＬＣＤ，表示部）であり、再生画像だけでなく記録時のスルー画像を写し出すモニタとしても機能する。１４はオプチカルビューファインダー（ＯＶＦ）であり、１５は内臓されたスピーカーである。
【００１７】
３はモードダイヤル（モード切替手段）である。モードダイヤル３を回転させてアイコン３ａに合わせると、セットアップを行うことができる。セットアップでは、日本語，英語のいずれかによる表示を選択し、今日の日付けを入力し、その他の設定を行う。アイコン３ｂに合わせると、動画の記録を行うことができ、動画モードとなる。アイコン３ｃに合わせると、静止画の記録を行うことができ、静止画モードとなる。アイコン３ｄに合わせると、静止画および動画の再生を行うことができ、再生モードとなる。アイコン３ｅ，アイコン３ｆに合わせると、静止画のうちの特に夜景画，風景画の記録をおこなうことができ、夜景画モード，風景画モードとなる。また、アイコン３ｃ，３ｅ，３ｆに合わせてその後の選択により、静止画の連写のモードを選択することもできる。
【００１８】
４，５，６，７は、十字キー２０における上下左右方向への移動指令を行う四方向の操作キーであり、これに加えて、アイコンに示すように、操作キー４ではストロボ撮影、操作キー５では直前に記録した画像の再生、操作キー６ではタイマー撮影、操作キー７ではマクロ撮影を夫々行うことができる。
【００１９】
８は記録時に記録するファイルサイズを設定したり、再生時にファイルをゴミ箱に入れるため操作キーである。９は液晶パネル２に電池残量等を表示する画面の表示の表示・非表示や、操作キーの機能を示すアイコン・文字の表示の表示・非表示を切り替えるための操作キーである。１０は頻繁に使う操作キーであり、ＥＶ値補正，フォーカスエリアのサイズ補正，全体あるいは一部分の明るさ補正等を行うための操作キーである。
【００２０】
１１は広角に設定するための操作キー（ズームアウトボタン）、１２は望遠に設定するための操作キー（ズームインボタン）であり、操作キー１１は再生時には静止画，動画のサムネイル画像を表示するための操作キーとなる。操作キー４〜１２の全ての操作キーの近傍には、該操作キーの機能を表示するアイコンが表示され、ユーザーは該操作キーのおおよその機能を知ることができる。
【００２１】
次に、デジタルカメラ１の電気的構成例を示すブロック図を図２２に示す。
【００２２】
デジタルカメラ１によって記録される被写体の映像は、レンズ制御部３２の制御によって位置が制御されるレンズ３１と、制御部４０から入力される制御信号に従って開口径が制御されるアイリス３３と、シャッタ３４とを介してＣＣＤ（  Ｃｈａｒｇｅ  Ｃｏｕｐｌｅｄ  Ｄｅｖｉｃｅｓ）３６に入射する。ここでシャッタ３４は、制御部４０から入力される制御信号に従って、ＣＣＤ３６に光を入射させる開閉タイミングを制御する。
【００２３】
ＣＣＤ３６は、受光した光の強度を電気信号に変換する。そして、ＣＣＤ３６は、制御部４０によって制御されるタイミングジェネレータ３５からのタイミング信号に従って、蓄積された電気信号をＣＤＳ（Ｃｏｒｒｅｌａｔｅｄ  Ｄｏｕｂｌｅ  Ｓａｍｐｌｉｎｇ（相関二重サンプリング））３７に出力する。ＣＣＤ３６の出力信号には雑音が含まれており、該雑音は、リセット雑音（ＣＣＤ３６が内部に有する、図示しない電荷検出用差動アンプのリセット時に発生する）がほとんどであり、ＣＤＳ３７は、このリセット雑音を低減するものである。ＣＣＤ３６の出力波形は、リセット期間、信号期間、フィールドスルー期間の３つの期間に分けられ、前記信号期間には映像信号とリセット雑音が存在し、前記フィールドスルー期間にはリセット雑音のみが存在する。従って、ＣＤＳ３７は、この２つの期間の信号を異なる２つのパルスを用いて各々サンプリングし、その後に両信号を減算することにより、リセット雑音の低減された映像信号を得る。そして、Ａ／Ｄ（Ａｎａｌｏｇｔｏ  Ｄｉｇｉｔａｌ）変換部３８に出力する。
【００２４】
Ａ／Ｄ変換部３８は、入力されたＲＧＢのカラーアナログ信号を、デジタル信号に変換して、ＷＢ（Ｗｈｉｔｅ  Ｂａｌａｎｃｅ）アンプ３９に出力する。ＣＣＤ３６の出力信号はアナログ信号なので、信号処理をデジタルで行うためには、前段にこのＡ／Ｄ変換部３８が必要となる。ＷＢアンプ３９は、制御部４０から入力された制御信号に従って、入力された画像信号にホワイトバランス係数を乗算し、制御部４０に出力する。
【００２５】
制御部４０は、前記モードダイヤル３、前記操作キー４〜７よりなる十字キー１９、前記操作キー８〜１０よりなるボタン群２０、ズームアウトボタン（操作キー）１１、もしくはズームインボタン（操作キー）１２を操作することにより、ユーザが指令した内容を示す信号に基づいて、各種処理を実行する。
【００２６】
測光素子４１は、例えばフォトダイオードなどからなり、外光の強度を測定し、制御部４０に出力する。充電・発光制御部４２は、制御部４０から入力される制御信号に基づいて、ストロボ４３の発光に必要な電源を充電し、ストロボ４３の発光を制御する。
【００２７】
記録部４４は、制御部４０から供給される画像データを記録したり、もしくは、記録されている画像データを読み出して制御部４０に供給する。制御部４０に供給された画像データはＬＣＤ（液晶パネル）２に表示される。
【００２８】
プログラムＲＯＭ（Ｒｅａｄ  Ｏｎｌｙ  Ｍｅｍｏｒｙ）４５には、制御部４０が実行するプログラムが格納されている。外部インターフェース４６は、例えば、ＵＳＢ（Ｕｎｉｖｅｒｓａｌ  Ｓｅｒｉａｌ  Ｂｕｓ）入出力端子などを備え、外部機器とのデータの授受が可能になっている。ＲＡＭ（Ｒａｎｄｏｍ  Ａｃｃｅｓｓ  Ｍｅｍｏｒｙ）４７は、制御部４０の処理において生成されたデータなどを一時保存する。ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）４８は、制御部４０が実行する、例えばレンズ制御部３２、アイリス３３、シャッタ３４、タイミングジェネレータ３５などに対する制御に必要なパラメータを記録している。
【００２９】
制御部４０には、プログラムをインストールするためのドライブ４９が接続されており、磁気ディスク６１、光ディスク６２、もしくは光磁気ディスク６３などが必要に応じて装着される。
【００３０】
このほか、制御部４０には、半導体メモリ７１を装着するためのメモリスロット５０が接続されており、必要に応じて挿入される半導体メモリ７１とデータの授受を行う。半導体メモリ７１は、例えばメモリースティック（商標）などにより構成される。このメモリースティックは、本出願人によって開発されたフラッシュメモリカードの一種である。このメモリースティックは、縦21.5×横50×厚さ2.8[mm]の小型薄型形状のプラスチックケース内に、電気的に書換えや消去が可能な不揮発性メモリであるＥＥＰＲＯＭの一種であるフラッシュメモリ素子を格納したものであり、１０ピン端子を介して画像や音声，音楽等の各種データの書き込み、および読み出しが可能となっている。
【００３１】
次に、このデジタルカメラの作用を、各操作キーの機能表示の説明を中心として、説明する。まず、基本的な使用方法について説明する。
【００３２】
まずは、デジタルカメラ１を用いて撮影画像を記録する場合についてする。静止画の記録を行うには、図示しない電源をＯＮにした後に、モードダイヤル３をアイコン３ｃ（場合によってはアイコン３ｅ，３ｆ）に合わせると、「静止画の記録スタンバイ」の動作モードになり、図示しないシャッタキーを操作すると静止画の記録が行われる。
【００３３】
図３は、モードダイヤル３を操作した場合の液晶パネル２の表示の変化を示したものである。例えば図１のアイコン３ｃを選択した状態から、アイコン３ｅを選択した場合は、図３（ａ）のスルー画像を表示した状態から図３（ｂ）に示すように「夜景」のアイコンと文字とが表示される。この後、図１のアイコン３ｆを選択した場合は、図３（ｃ）に示すように「風景」のアイコンと文字とが表示される。
【００３４】
連写の記録を行うには、モードダイヤル３をアイコン３ｃ，３ｅ，３ｆのいずれかに合わせ、液晶パネル２に表示される静止画と連写とのうちの連写を選択する。すると、「連写の記録スタンバイ」動作モードになり、図示しないシャッタキーを操作すると、静止画の記録が連続的に行われる。
【００３５】
動画の記録を行うには、モードダイヤル３をアイコン３ｂに合わせると「動画の記録スタンバイ」の動作モードになり、図示しないシャッタキーを操作すると「動画記録中」の動作モードになり、動画の記録が開始される。再度シャッタキーを操作すると、記録が終了する。
【００３６】
静止画又は動画の再生を行う場合には、モードダイヤル３をアイコン３ｄに合わせる。すると静止画および動画のファイルが表示され、いずれかを選択することができる。「動画の再生スタンバイ」の動作モードから、操作キー２１を操作すると「動画再生中」の動作モードになって動画の再生が開始される。再び操作キー２１を操作すると、再生が終了する。
【００３７】
次に、操作キーの機能を図２の表に基づいて説明する。操作キーは、４〜１２まであり、夫々の操作キーは、現在の動作モードによって、その機能が異なる。動作モードは図２の左側に上下方向に記載されているように、大きく分けて５つに分類され、更に動画の記録及び再生については、スタンバイの状態と記録中、又はスタンバイの状態と再生中とに分かれる。また、表の上部の５つの動作モードはモードダイヤル３の操作によるものであるが、操作キー１０を操作したときに表示される「メニュー表示時」の動作モードと、再生時に操作キー１２を操作したときに表示される「再生ズーム時」の動作モードとの２つの動作モードがある。つまり、合計で７つの動作モードがある。
【００３８】
最初は、十字キー２０の部分について説明する。操作キー４〜７は、現在の動作モードが図２の左の「メニュー表示時」であるときには、操作キー４〜７を操作することにより、メニューの選択項目を上左下右に移動する。また、現在の動作モードが図２の左の「再生ズーム時」であるときには、操作キー４〜７を操作することにより、表示された画像に対して上左下右に移動する。また、中央には操作キー２１が設けられている。
【００３９】
まず、操作キー（ストロボのアイコン）４の操作を、「静止画の記録スタンバイ」の動作モードの状態で行うと、「フラッシュ発光モード設定」となる。つまり、図４（ａ）のスルー画像が液晶パネル２にモニタされている状態のときに操作キー４を操作すると、図４（ｂ）に示すように液晶パネル２に、「フラッシュ発光モードの一覧」として、４つの発光モードを示すアイコンと文字とが表示され、操作キー４がどのような機能を有する操作キーであるかをユーザーは瞬時にに認識することができる。そして、図４（ｂ）の状態から、例えば３秒等の所定の時間が経過すると、図４（ｃ）に示すように一覧が消える。操作キー４を１回操作したので、現在は図４（ａ）の「オート発光」のモードから、図４（ｂ）の最上部に表示される「強制発光」のモードとなっており、操作を２回，３回と行えば、順番に図４（ｂ）の一覧の下の方へと発光モードが移動する。
【００４０】
「フラッシュ発光モード設定」の表示の態様を、図４と異ならしめた場合を図５に示す。操作キー４を操作する前の図５（ａ）では「オート発光」のモードであり、操作後は図５（ｂ）のようにアイコンと文字とで表示される「強制発光」のモードとなる。そして、更に操作を続けると、操作する度に、図５（ｃ）〜図５（ｅ）の順番に発光モードが切り換わる。図５（ｅ）のモードから、例えば３秒等の所定の時間が経過すると、図５（ｆ）に示すように表示が消える。図５（ｂ）（ｃ）（ｄ）のいずれの場合も、操作がされずに所定の時間が経過すると表示が消える。
【００４１】
操作キー４の操作を、「連写の記録スタンバイ」「動画記録」「静止画再生」の各動作モードの状態で行う場合について説明する。これらの場合は、システムの都合でフラッシュは発光できないため、図６，図７，図８の（ａ）の状態から操作キー４を操作しても、図６，図７，図８の（ｂ）に示すように、機能がないことを表示するために液晶パネル２に「〜時は無効」の文字が表示され、「フラッシュ発光モード」は設定されない。
【００４２】
操作キー４の操作を、「動画再生」の動作モードの状態で行うと、「音量モード」の設定となる。つまり、図９（ａ）の動画が再生されている状態のときに操作キー４を操作すると、スピーカ１５からの音声出力が大きくなり、図９（ｂ）に示すように液晶パネル２に、操作キー４の機能表示である「音量大」の文字が表示される。そして、例えば３秒等の所定の時間が経過すると、図９（ｃ）に示すように表示が消える。なお、音量を小さくする操作キーは後述する。
【００４３】
次に、操作キー（レックレビューのアイコン）５の操作について説明する。操作キー５の操作を、「静止画・連写・動画の記録スタンバイ」の各動作モードの状態で行うと、ひとつ前の再生画を再生する「レックレビューのモード」の設定となる。記録の準備ができて図１０（ａ）のスルー画像が表示された状態から操作キー５を操作すると、図１０（ｂ）に示すように直ちにひとつ前の再生画が表示され、「レックレビュー」のアイコンと文字とが表示される。そして、例えば３秒等の所定の時間が経過すると、図１０（ｃ）のように表示が消える。図１０（ａ）から図１０（ｂ）への画面の変化を見れば操作キーの機能をユーザーが簡単に認識できる場合は、アイコン及び文字の表示をしない設定にすることもできる。
【００４４】
操作キー５の操作を、「動画記録中」の動作モードの状態で行うと、既に動画の記録を実行中であるためにレックレビューができず、「〜中は無効」の文字が表示され、例えば３秒等の所定の時間が経過すると表示が消える。
【００４５】
操作キー５の操作を、「静止画再生・動画の再生スタンバイ」の各動作モードの状態で行うと、図１１（ａ）の状態から、図１１（ｂ）のように液晶パネル２に直ちに別の再生ファイルが表示され、「ファイル戻し」の文字が表示される。そして、例えば３秒等の所定の時間が経過すると図１１（ｃ）のように表示が消える。なお、「ファイル送り」の操作キーについては後述する。
【００４６】
操作キー５の操作を、「動画再生中」の動作モードの状態で行うと、図１２（ａ）の状態から、図１２（ｂ）のように直ちにファイルの巻き戻しが実行され、「巻き戻し」の文字が表示される。そして、例えば３秒等の所定の時間が経過すると図１２（ｃ）のように表示が消える。なお、「早送り」の操作キーは後述する。
【００４７】
次に、操作キー（時計のアイコン）６の操作について説明する。操作キー６の操作を、「静止画・連写・動画の記録スタンバイ」の各動作モードの状態で行うと、図１３（ａ）のようにスルー画像が表示されたスタンバイ状態から図１３（ｂ）に示すように「タイマーレック」のアイコンと文字とが表示される。この状態で図示しないシャッタキーを操作すると、タイマーレックモードになって図１３（ｃ）に示すように液晶パネル２に「タイマーレック」のアイコンと文字とが表示される。そして、例えば１０秒位の所定のタイマー時間が経過すると、自動的に静止画の記録が行われたり、あるいは動画の記録が開始され、図１３（ｄ）に示すように表示が消える。
【００４８】
操作キー６の操作を、「動画記録中」「静止画再生」の各動作モードの状態で行うと、前記と同様に「〜時は無効」の文字が表示される。
【００４９】
操作キー６の操作を、「動画再生」の動作モードの状態で行うと、図１４（ａ）に示す状態から、スピーカ１５からの音声出力が小さくなり、図１４（ｂ）に示すように液晶パネル２に「音量小」の文字が表示される。そして、例えば３秒等の所定の時間が経過すると、図１４（ｃ）に示すように文字表示が消える。
【００５０】
次に、操作キー（チューリップのアイコン）７の操作について説明する。操作キー７の操作を、「静止画・連写・動画記録」の各動作モードの状態で行うと、「マクロモード設定」となる。つまり、図１５（ａ）のようにスルー画像が表示された状態で操作キー７の操作を行うと、図１５（ｂ）に示すようにマクロモードになり、「マクロ」のアイコンと文字とが画面に表示される。そして、例えば３秒等の所定の時間が経過すると、図１５（ｃ）に示すように文字表示が消え、マクロモードであることを示すアイコンのみが表示される。
【００５１】
操作キー７の操作を、「静止画再生・動画の再生スタンバイ」の各動作モードの状態で行うと、図１６（ａ）の状態から、図１６（ｂ）のようにファイル送りが実行されて直ちに別の再生ファイルが表示され、前記操作キー５の「ファイル戻し」と逆の操作が行われる。そして、液晶パネル２には「ファイル送り」の文字が表示され、例えば３秒等の所定の時間が経過すると、図１６（ｃ）のように文字表示が消える。
【００５２】
操作キー７の操作を、「動画再生中」の動作モードの状態で行うと、液晶パネル２に図１７（ａ）の動画が表示されている状態から、図１７（ｂ）のように「早送り」が実行されて前記操作キー５の「巻戻し」と逆の操作が行われる。そして、「早送り」の文字が表示され、例えば３秒等の所定の時間が経過すると、文字表示が消える。
【００５３】
次に、操作キー（ファイルサイズとゴミ箱のアイコン）８の操作について説明する。操作キー８の操作を、「静止画・連写・動画の記録スタンバイ」の各動作モードの状態で行うと、「画像サイズ切り替え」の操作となる。つまり、図１８（ａ）の状態から操作キー８を操作すると、図１８（ｂ）に示すように、液晶パネル２に「画像サイズ切替え」のアイコンと文字とが表示される。そして、所定時間としての例えば３秒が経過すると、図１８（ｃ）に示すように「画像サイズ切り替えメニュー」が表示される。
【００５４】
操作キー８の操作を、「動画記録中」「再生ズーム時」の動作モードの状態で行うと、記録中，再生ズーム中は画像サイズを切り替えることが出来ないので、「〜中は無効」の文字が表示される。
【００５５】
操作キー８の操作を、「静止画・動画再生」の動作モードの状態で行うと、図１９（ａ）の状態から図１９（ｂ）に示すように「画像削除」のアイコンと文字とが液晶パネル２に表示され、所定時間としての例えば３秒が経過すると、図１９（ｃ）に示すように表示が消え、「削除／終了」の文字が表示される。図１９（ｃ）の状態から操作キー４を操作し、削除を選択すると、画像を削除することができる。
【００５６】
操作キー８の操作を、「メニュー表示時」の動作モードで行うと、メニュー表示が消えて、その後は前記の各動作モード時と同じになる。
【００５７】
次に、操作キー（画面のアイコン）９の操作について説明する。操作キー９の操作を、「静止画・動画の記録・再生」と「再生ズーム時」との各動作モードの状態で行うと、「画面表示切替の設定」となる。つまり、図２０（ａ）の電池残量等が表示された「画面表示ＯＮ」モードの状態から操作キー９を操作すると、図２０（ｂ）に示すように、液晶パネル２に「画面表示モードの一覧」のアイコンと文字とが表示され、所定時間としての例えば３秒が経過すると、図２０（ｃ）に示すように「画面表示モードの一覧」の最上に位置する「ヒストグラム表示ＯＮ」モードに変わり、「画面表示モードの一覧」の表示が消える。
【００５８】
「画面表示切替の設定」の表示の態様を、図２０と異ならしめた場合を図２１に示す。操作キー９を操作する前の図２１（ａ）では「画面表示ＯＮ」のモードであり、電池残量，画像サイズ，記録可能枚数またはメモリカード残容量等の画面表示が行われている。操作後は図２１（ｂ）のように「ヒストグラム表示ＯＮ」の文字が表示され、右下にヒストグラムのアイコンが表示されたモードとなる。そして、更に操作を続けると、操作する度に、図２１（ｃ）のように画面に文字等のない「画面表示ＯＦＦ」のモードとなり、図２１（ｄ）のように「バックライトＯＦＦ」のモードとなり、図２１（ｅ）のように「画面表示ＯＮ」のモードに戻るという順に切り換わる。そして、図２１（ｅ）のモードから、例えば３秒等の所定の時間が経過すると、図２１（ｆ）に示すように表示が消える。図２１（ｂ）（ｃ）（ｄ）のいずれのモードでも、所定の時間が経過すると文字表示が消える。
【００５９】
操作キー９の操作を、「メニュー表示時」の動作モードの状態で行うと、「画面表示切り替えの設定」の内容は、前記の４つモードの切替ではなく、バックライトのＯＮ，ＯＦＦの２つのモードの切替となる。
【００６０】
次に、操作キー（ＭＥＮＵのアイコン）１０の操作について説明する。操作キー１０の操作を、「静止画・動画の記録スタンバイ」の各動作モードの状態で行うと、液晶パネル２に「メニュー表示のＯＮ／ＯＦＦ」が行われる。即ち、操作キー１０を操作する度に、メニュー画面の表示・非表示が交互に繰り返される。この場合は、静止画・動画の記録のためのメニュー画面が表示される。そして、３秒等の所定の時間が経過すると表示が消える。
【００６１】
一方、操作キー１０の操作を、「静止画・動画の再生」の各動作モードの状態で行うと、静止画・動画の再生のためのメニュー画面が表示される。
【００６２】
操作キー１０の操作を、「動画記録中」の動作モードで行うと、「〜中は無効」の文字が表示される。操作キー１０の操作を、「再生ズーム時」の動作モードで行うと、操作キー１０を操作する度に、トリミングのためのメニュー画面の表示・非表示が交互に繰り返される。
【００６３】
次に、操作キー１１，１２（ＷとＴとのアイコン）の操作について説明する。操作キー１１，１２の操作を、「静止画・連写・動画の記録スタンバイ」と「再生ズーム時」の各動作モードの状態で行うと、画角が変化して「ズーム広角」あるいは「ズーム望遠」となる。この場合は、液晶パネル２のスルー画像の変化を見れば操作キー１１，１２の機能がわかるので、「ズーム広角」，「ズーム望遠」の機能表示は必ずしも必要ない。なお、「動画記録中」の動作モードの場合には、「〜時は無効」の文字が表示される。
【００６４】
操作キー１２の操作を、「静止画の再生」の動作モードの状態で行うと、「ズーム拡大」となる。「ズーム拡大」時に操作キー１１を操作すると、「ズーム縮小」になる。また、操作キー１１の操作を、「静止画の再生」の動作モードの状態で行うと、サムネイル画像を表示する「インデックス」表示になる。
【００６５】
操作キー１１の操作を、「動画再生」の動作モードの状態で行うとサムネイル画像を表示する「インデックス」表示となり、操作キー１２の操作を、「動画再生」の動作モードの状態で行うと「〜時は無効」の文字が表示される。
【００６６】
操作キー１１，１２の操作を、「メニュー表示時」に「静止画・連写・動画の記録スタンバイ」の各動作モードの状態で行うと、画角が変化して「ズーム広角」あるいは「ズーム望遠」となる。
【００６７】
操作キー１２の操作を、「メニュー表示時」に「静止画再生」の動作モードの状態で行うと、メニュー表示が消えて「ズーム拡大」となる。また、操作キー１１の操作を「メニュー表示時」に「静止画再生」の動作モードの状態で行うと、メニュー表示が消えてサムネイル画像を表示する「インデックス」表示となる。
【００６８】
本発明では、モードダイヤル３や操作キー４〜１０を操作したときに、操作キー４〜１０の機能表示を液晶パネル２にアイコンと文字とで視覚的に表示するが、デジタルカメラ１は動画の再生時に音声や操作音を出力するスピーカ１５を内蔵しているので、これに加えてモードダイヤル３や操作キー４〜１０の機能を音声で出力して聴覚的に表示するようにしても良い。
【００６９】
モードダイヤル３や操作キー４〜１０を操作したときに、モードダイヤル３や操作キー４〜１０の機能表示を液晶パネル２にアイコンと文字とで視覚的に表現する際に、操作直後はアイコンと文字とを拡大表示し、所定時間経過後に通常サイズに戻して表示してもよい。また、前記拡大表示するのをアイコンのみにしてもよい。
【００７０】
ユーザーがデジタルカメラ１を使い慣れてくると、モードダイヤル３や操作キー４〜１０を操作したときに、操作の度に、液晶パネル２に機能表示が行われるのが煩わしくなる。このような場合は、機能表示をしないよう選択できるように設定することもできる。
【００７１】
ユーザーがデジタルカメラ１を使い慣れてきたことを、画像の記録枚数が所定の数に達した場合や、モードダイヤル３や操作キー４〜１０を操作した回数が所定の回数に達した場合に、慣れてきたと判断して、液晶パネル２に機能表示が行われないように設定することもできる。そして、予告なく機能表示が行われなくなると、ユーザーが混乱する可能性があるので、液晶パネル２に「操作キーの機能表示が必要ですか？」等の案内文を表示し、液晶パネル２に機能表示が行われないように設定変更することを促しても良い。
【００７２】
デジタルカメラの購入者が必ずしも初心者とは限らないので、購入後の最初の操作であるセットアップによる時計の時刻設定を行う際に、「操作キーの機能表示が必要ですか？」等の案内文を液晶パネル２に表示して、設定変更を促すようにしても良い。
【００７３】
液晶パネル２に操作キーの機能表示行われないように、ユーザーが設定した場合は、操作に慣れていると判断し、初心者では操作できないような高度な機能を開放するようにしても良い。
【００７４】
実施の形態では「操作ガイド」の表示の色は白に設定しているが、他の色を使っても良い。その場合には、モードダイヤル別や操作キー別に色を使い分けたり、静止画記録モード、動画記録モード，再生モード別に色を使い分けるようにしても良い。
【００７５】
実施の形態ではデジタルカメラが静止画と動画との記録，再生を行うものである場合について示したが、静止画の記録，再生のみを行うものであっても良い。また、撮影した画像が表示される表示部とは、記録の際にモニタされるスルー画像と再生画像とのうちの少なくとも一方を表示するための表示部をいう。
【００７６】
実施の形態では「操作キーの機能」を画像に重畳して表示する場合を示したが、画像表示をせずに、例えばブルーバック画面に「操作キーの機能」を重畳してもよい。また、再生モード時にメモリに再生画像がない場合も、例えばブルーバック画面に「操作キーの機能」を重畳して表示してもよい。
【図面の簡単な説明】
【００７７】
【図１】デジタルカメラの背面図（実施の形態）。
【図２】デジタルカメラにおける操作キーの機能を各動作モードと対応させて示す表（実施の形態）。
【図３】モードダイヤルを操作したときの動作モードを表示する説明図（実施の形態）。
【図４】操作キー４を操作したときの、静止画の記録スタンバイ時の機能表示を示す説明図（実施の形態）。
【図５】操作キー４を操作したときの、静止画の記録スタンバイ時の機能表示のその他の態様を示す説明図（実施の形態）。
【図６】操作キー４を操作したときの、連写の記録スタンバイ時の機能表示を示す説明図（実施の形態）。
【図７】操作キー４を操作したときの、動画記録時の機能表示を示す説明図（実施の形態）。
【図８】操作キー４を操作したときの、静止画再生時の機能表示を示す説明図（実施の形態）。
【図９】の操作キー４を操作したときの、動画再生時の機能表示を示す説明図（実施の形態）。
【図１０】操作キー５を操作したときの、記録スタンバイ時の機能表示を示す説明図（実施の形態）。
【図１１】操作キー５を操作したときの、静止画再生時・動画の再生スタンバイ時の機能表示を示す説明図（実施の形態）。
【図１２】操作キー５を操作したときの、動画再生中の機能表示を示す説明図（実施の形態）。
【図１３】操作キー６を操作したときの、記録スタンバイ時の機能表示を示す説明図（実施の形態）。
【図１４】操作キー６を操作したときの、動画再生時の機能表示を示す説明図（実施の形態）。
【図１５】操作キー７を操作したときの、記録時の機能表示を示す説明図（実施の形態）。
【図１６】操作キー７を操作したときの、静止画再生時・動画の再生スタンバイ時の機能表示を示す説明図（実施の形態）。
【図１７】操作キー７を操作したときの、動画再生中の機能表示を示す説明図（実施の形態）。
【図１８】操作キー８を操作したときの、記録スタンバイ時の機能表示を示す説明図（実施の形態）。
【図１９】操作キー８を操作したときの、再生時の機能表示を示す説明図（実施の形態）。
【図２０】操作キー９を操作したときの、記録・再生時の機能表示を示す説明図（実施の形態）。
【図２１】操作キー９を操作したときの、記録・再生時の機能表示のその他の態様を示す説明図（実施の形態）。
【図２２】デジタルカメラの電気的構成例を示すブロック図。
【符号の説明】
【００７８】
１…デジタルカメラ
２…液晶パネル（表示部）
３…モードダイヤル（モード切替手段）
３ａ〜３ｆ…アイコン
４〜１２…操作キー
【図１】
0004687007.tif 000002
【図２】
0004687007.tif 000003
【図２２】
0004687007.tif 000004
【図３】
0004687007.tif 000005
【図４】
0004687007.tif 000006
【図５】
0004687007.tif 000007
【図６】
0004687007.tif 000008
【図７】
0004687007.tif 000009
【図８】
0004687007.tif 000010
【図９】
0004687007.tif 000011
【図１０】
0004687007.tif 000012
【図１１】
0004687007.tif 000013
【図１２】
0004687007.tif 000014
【図１３】
0004687007.tif 000015
【図１４】
0004687007.tif 000016
【図１５】
0004687007.tif 000017
【図１６】
0004687007.tif 000018
【図１７】
0004687007.tif 000019
【図１８】
0004687007.tif 000020
【図１９】
0004687007.tif 000021
【図２０】
0004687007.tif 000022
【図２１】
0004687007.tif 000023